(57)【特許請求の範囲】
【請求項１】
棒状化粧品付きの化粧品装着筒１とキャップ付き摘み筒８とを具備し、
上記棒状化粧品付きの化粧品装着筒１は、段部２を介して下方筒部３よりも上方筒部４を、内外径共小径とした化粧品装着筒１と、該装着筒の上部内へ下部を固着させて上方へ起立する棒状化粧品６とからなり、
上記キャップ付き摘み筒８は、上記装着筒の下方筒部３外面へ緊密に周壁９を嵌合固着可能に設けるとともに該周壁上部を小外径部10とした摘み筒８と、上記棒状化粧品６の上方突出部分を内部へ遊挿させて、頂壁13周縁から垂下する上記摘み筒周壁９と同外径の周壁14下部に設けた大内径部15を、上記摘み筒の小外径部10外面へ着脱自在に嵌合させたキャップ12とで形成し、かつ上記小外径部10を除く摘み筒周壁９とキャップ周壁14との外面へ、それぞれ描出した連続装飾模様形成用の部分模様16、16を各周壁9、14の位置合わせにより連続装飾模様としてなり、
該キャップ付きの摘み筒８内へ、上記棒状化粧品付きの化粧品装着筒１を、装着筒１外面と摘み筒８内面とを緊密に固着させて嵌合させることで構成したことを特徴とする、棒状化粧品サンプル容器。
【請求項２】
段部２を介して下方筒部３よりも内外径共に小径とした化粧品装着筒１の上方筒部４内から、該上方筒部内に下部を嵌着させて棒状化粧品６を上方へ起立しておき、又周壁９上部を小外径部１０とした摘み筒８と、頂壁１３周縁から垂下する、上記摘み筒周壁９と同外径とした周壁１４下部を大内径部１５としたキャップ１２とで、上記小外径部１０外面へ大内径部１５を着脱自在に嵌合させ、かつ小外径部１０を除く両周壁９、１４外面にそれぞれ描出した連続装飾模様形成用の部分模様１６、１６を各周壁９、１４の位置合せにより連続装飾模様に形成させたキャップ１２付きの摘み筒８を設け、該キャップ付きの摘み筒内へ、上記棒状化粧品付きの化粧品装着筒１を、装着筒１外面と摘み筒８内面とを緊密に固着させて嵌合させることを特徴とする、棒状化粧品サンプル容器の形成方法。
【発明の詳細な説明】
【０００１】
【産業上の利用分野】
本発明は棒状化粧品、例えば棒状口紅のサンプル容器とその形成方法に関する。
【０００２】
【従来の技術】
繰出し容器等に収容した口紅は周知である。
【０００３】
ところで、近年、口紅のサンプル容器として、図３及び図４に示す簡易なサンプル容器が出回っている。
【０００４】
このサンプル容器は、上端部を段付き小径の口紅支持部Ａａとしたベース筒Ａと、該口紅支持部の外周に離脱可能に嵌合させた型カバーＢと、そのベース筒Ａの下端に嵌合させる底板Ｃと、上記口紅支持部Ａａに着脱自在に嵌合させるキャップＤとから成り、ベース筒Ａの口紅支持部Ａａの外周に型カバーＢを嵌合させ、この結合両者を倒立させて、型カバーＢ乃至上記口紅支持部Ａａ内に適量の溶融化粧品を充填し、かつ、固化させることにより、小棒状口紅Ｅを形成させ、次いで、そのベース筒Ａの下端に底板Ｃを嵌着するとともに、型カバーＢを除去し、ベース筒Ａの口紅支持部Ａａの外周にキャップＤを着脱自在に嵌合させて、小棒状口紅入り容器として組み立てたものである（商標名「イヴ・サンローラン」）。
【０００５】
【発明が解決しようとする課題】
上記のようなサンプル容器の形成は、口紅Ｅを除く各部材を容器形成メーカーが形成してこれ等部材を口紅形成メーカーに納入すると、該口紅形成メーカーが口紅Ｅを形成した後、型カバーＢを外し、かつキャップＤを嵌合させて形成するが、特にベース筒ＡとキャップＤ外面に連続させるための装飾模様部分が描出させれている場合は、ベース筒ＡとキャップＤとを正確に位置合せしなければ上記装飾模様が連続せず、外見を損うこととなるため、口紅形成メーカーの手数が大となるものであった。
【０００６】
本発明は、上記ベース筒を内外両筒で形成して、上記装飾模様部分付きの外筒とキャップとは予め容器形成メーカーが位置合せして口紅形成メーカーに納入するようなし、口紅形成メーカーは上記内筒内から突出させて口紅を形成した後、上記キャップ付き外筒内へ、その口紅付き内筒を嵌合させればよいよう設けたものである。
【０００７】
【課題を解決するための手段】
請求項１発明においては、棒状化粧品付きの化粧品装着筒１とキャップ付き摘み筒８とを具備し、
上記棒状化粧品付きの化粧品装着筒１は、段部２を介して下方筒部３よりも上方筒部４を、内外径共小径とした化粧品装着筒１と、該装着筒の上部内へ下部を固着させて上方へ起立する棒状化粧品６とからなり、
上記キャップ付き摘み筒８は、上記装着筒の下方筒部３外面へ緊密に周壁９を嵌合固着可能に設けるとともに該周壁上部を小外径部10とした摘み筒８と、上記棒状化粧品６の上方突出部分を内部へ遊挿させて、頂壁13周縁から垂下する上記摘み筒周壁９と同外径の周壁14下部に設けた大内径部15を、上記摘み筒の小外径部10外面へ着脱自在に嵌合させたキャップ12とで形成し、かつ上記小外径部10を除く摘み筒周壁９とキャップ周壁14との外面へ、それぞれ描出した連続装飾模様形成用の部分模様16、16を各周壁9、14の位置合わせにより連続装飾模様としてなり、
該キャップ付きの摘み筒８内へ、上記棒状化粧品付きの化粧品装着筒１を、装着筒１外面と摘み筒８内面とを緊密に固着させて嵌合させることで構成した。
【０００８】
請求項２発明においては、請求項１のサンプル容器を段部２を介して下方筒部３よりも内外径共に小径とした化粧品装着筒１の上方筒部４内から、該上方筒部内に下部を嵌着させて棒状化粧品６を上方へ起立しておき、又周壁９上部を小外径部１０とした摘み筒８と、頂壁１３周縁から垂下する、上記摘み筒周壁９と同外径とした周壁１４下部を大内径部１５としたキャップ１２とで、上記小外径部１０外面へ大内径部１５を着脱自在に嵌合させ、かつ小外径部１０を除く両周壁９、１４外面にそれぞれ描出した連続装飾模様形成用の部分模様１６、１６を各周壁９、１４の位置合せにより連続装飾模様に形成させたキャップ１２付きの摘み筒８を設け、該キャップ付きの摘み筒内へ、上記棒状化粧品付きの化粧品装着筒１を、装着筒１外面と摘み筒８内面とを緊密に固着させて嵌合させる。
【０００９】
【実施例】
本発明のサンプル容器は、化粧品装着筒と、口紅等の棒状化粧品と、摘み筒と、キャップとからなる。
【００１０】
化粧品装着筒１は、段部２を介して下方筒部３よりも上方筒部４を、内外径共に小径としたもので、その上方筒部内面には棒状化粧品保持用の複数係止片５を付設するとよい。
【００１１】
棒状化粧品６は、上記装着筒１の上部内に下部を固着させて上方へ起立するもので、その形成は既述従来例の場合と同様、後述の型カバー７の周壁下部を装着筒の上方筒部４外面へ嵌合させておき、装着筒１を倒立させて型カバー７および上方筒部４内へ溶融化粧品を流込み、その固化の後、型カバー７を外せばよい。
【００１２】
摘み筒８は既述装着筒１の下方筒部３外面へ緊密に周壁９を嵌合固着させ、かつ周壁上部を小外径部１０としたもので、又周壁下端に大内径部１１を設けている。該大内径部を除く摘み筒８の長さは化粧品装着筒の下方筒部３の長さとほぼ同一長さに形成している。
【００１３】
キャップ１２は、既述棒状化粧品６の上方突出部分を内部に遊挿させて、頂壁１３周縁から垂下する周壁１４下部に設けた大内径部１５を、摘み筒８の小外径部１０外面へ着脱自在に嵌合させている。
【００１４】
既述小外径部１０を除く摘み筒周壁９と、キャップ周壁１４との各外面には、それぞれ連続装飾模様形成用の部分模様１６、１６を描出させ、それ等部分模様は摘み筒周壁９とキャップ周壁１４との位置合せにより図１が示すように連続装飾模様としておく。図示例でその模様は平行斜線状の模様としたが、どのようなものでものよい。
【００１５】
図示例では、棒状化粧品６にカバー１７を嵌合させて、該カバー周壁下部を化粧品装着筒１の上方筒部４外面へ着脱自在に嵌合させ、又キャップ頂壁１５の中央部からは棒状ストッパ１８を垂下して、該ストッパ下端をカバー１７の頂部上面へ当接ないし近接させて、キャップ嵌合時にカバー１７がキャップ内で外れることがないよう設けている。カバー１７は、キャップ１２取外し時に棒状化粧品６がキッャプ内面に当って傷つくことを、カバー１７で防止するものである。
【００１６】
装着筒１の下端面は適宜シール１９で閉塞するとよい。図示のように摘み筒の大内径部１１を垂下することで、該大内径部がシール１９下面に他物が触れないよう保護することになる。
各部材はそれぞれ横断面円形、又は多角形状とする。
【００１７】
上記サンプル容器の形成は、次のようにして行う。
【００１８】
まず型カバー７利用等により、化粧品装着筒１の上方筒部４内から該上方筒部に下部を嵌着させて棒状化粧品６を上方へ起立する。このようにして棒状化粧品付き装着筒を設けておき、これを、既述摘み筒８の小外径部１０外面へ、キャップ１２周壁の大内径部１５を着脱自在に嵌合させた、キャップ付きの摘み筒８内へ嵌合させる。該嵌合は、装着筒１外面と摘み筒８内面とが一体的に緊密に固着するようかた嵌めすればよい。キャップ１２と摘み筒８との各部分模様１６、１６は、それ等両周壁１４、９の位置合せにより連続する装飾模様としておく。即ち、図示のように摘み筒８の部分模様１６上端とキャップ１２の部分模様１６とを完全に位置合せして模様のずれをなくしておく。
【００１９】
尚、既述のようにカバー１７を被せ、かつキャップ頂壁１３から棒状ストッパ１８を垂下したときは、型カバー７取外し後、キャップ付き嵌合筒内への嵌合に先だってカバー１７を嵌合させ、又棒状ストッパ１８は、キャップ付き嵌合筒内への嵌合時において、そのカバー１７頂部に棒状ストッパ下端が当接ないし近接するようその長さを設定しておく。
【００２０】
既述シール１９による装着筒１下端面閉塞は棒状化粧品成形後に随時行うことが出来る。
【００２１】
【発明の効果】
本発明は、既述構成とするもので棒状化粧品付きの化粧品装着筒１外面へ、模様付きの摘み筒８を緊密に嵌合固着させるから、摘み筒８および該摘み筒上部へ嵌合させるキャップ１２を傷等がつき難く、かつ光沢を有する高級材質製とすることが出来、又該サンプル容器形成方法にあっては、棒状化粧品６付き装着筒１を設けておき、各周壁外面に部分模様１６、１６を有する摘み筒８とキャップ１２とを、各周壁の位置合せにより予め連続装飾模様に形成したキャップ付き摘み筒８内へ、上記棒状化粧品付き装着筒１を嵌合させ、該嵌合により装着筒１外面と摘み筒８内面とを緊密に固着させるから、上記部分模様の位置合せは、その部分模様付形時に一度行うだけでよいこととなり、従来行っていた、棒状化粧品付設後における上記部分模様の位置合せを省くことが出来る。
【図面の簡単な説明】
【図１】本発明サンプル容器の半断面図である。
【図２】図１サンプル容器の分解半断図である。
【図３】従来例サンプル容器の半断面図である。
【図４】図３容器の分解半断面図である。
【符号の説明】
１…装着筒      ６…棒状化粧品
８…摘み筒      １２…キャップ
【図１】
0003593157.tif 000002
【図２】
0003593157.tif 000003
【図３】
0003593157.tif 000004
【図４】
0003593157.tif 000005